【手続補正書】
【提出日】平成19年12月14日(2007.12.14)
【手続補正１】
【補正対象書類名】特許請求の範囲
【補正対象項目名】全文
【補正方法】変更
【補正の内容】
【特許請求の範囲】
【請求項１】
設定された収集条件に基づいて被検体の形態を反映するデータを収集する収集手段と、設定された再構成条件に基づいて前記収集された前記データに基づいて再構成像を形成する再構成手段とを有する医用画像診断装置であって、
前記収集された前記データに基づき形成される記憶用画像を記憶する画像記憶手段と、
前記収集条件及び／又は前記再構成条件を記憶する条件記憶手段と、
前記収集手段により収集される前記データに基づいて、収集条件を設定するための被検体のスキャノ像を形成するスキャノ像形成手段と、
前記スキャノ像を表示する表示手段と、
前記スキャノ像と当該被検体の過去の前記記憶用画像とに基づいて移動量を算出し、前記移動量に基づいて過去の収集条件を変更して、今回の収集条件を設定する条件設定手段と、
を備えることを特徴とする医用画像診断装置。
【請求項２】
事前に設定された収集条件に基づいて被検体の形態を反映するデータを収集する収集手段と、事前に設定された再構成条件に基づいて前記収集された前記データに基づく再構成像を形成する再構成手段とを有する医用画像診断装置であって、
前記収集された前記データに基づき形成される記憶用画像を記憶する画像記憶手段と、
前記収集条件及び／又は前記再構成条件を記憶する条件記憶手段と、
収集条件及び／又は再構成条件を設定するときに前記収集手段により収集される前記データに基づいて被検体のスキャノ像を形成するスキャノ像形成手段と、
前記形成された前記スキャノ像と前記記憶された当該被検体の過去の前記記憶用画像に基づく比較用画像とのそれぞれを、その基となる前記データの収集時における当該被検体の位置に応じた表示位置に、同時に表示する表示手段と、
操作手段と、
前記表示された前記スキャノ像と前記比較用画像とを相対的に移動させて互いの表示位置が前記操作手段によって合わせられたときに、前記比較用画像の基となる前記データの収集時における過去の収集条件、及び／又は、当該データに基づく前記再構成画像の形成時における過去の再構成条件を、前記条件記憶手段から選択して設定する条件設定手段と、
を備えることを特徴とする医用画像診断装置。
【請求項３】
前記画像記憶手段は、前記再構成手段により形成された前記再構成像を前記記憶用画像として記憶し、
前記記憶された当該被検体の過去の前記再構成像に基づいて、前記スキャノ像と同じ方向からの合成画像を形成する画像合成手段を備え、
前記表示手段は、前記形成された前記合成画像を前記比較用画像として表示する、
ことを特徴とする請求項２に記載の医用画像診断装置。
【請求項４】
前記スキャノ像形成手段により形成される前記スキャノ像は、被検体の側面画像、前面画像及び背面画像のうちの少なくともいずれかを含み、
前記画像合成手段により形成される前記合成画像は、前記スキャノ像と同じ方向からの合成スキャノ像を含む、
ことを特徴とする請求項３に記載の医用画像診断装置。
【請求項５】
前記スキャノ像形成手段により形成される前記スキャノ像は、被検体の側面画像を含み、
前記再構成像は、被検体のアキシャル像を含み、
前記画像合成手段により形成される前記合成画像は、前記アキシャル像に対する断面変換により得られるサジタル像を含む、
ことを特徴とする請求項３に記載の医用画像診断装置。
【請求項６】
前記スキャノ像形成手段により形成される前記スキャノ像は、被検体の前面画像又は背面画像を含み、
前記再構成像は、被検体のアキシャル像を含み、
前記画像合成手段により形成される前記合成画像は、前記アキシャル像に対する断面変換により得られるコロナル像を含む、
ことを特徴とする請求項３に記載の医用画像診断装置。
【請求項７】
前記画像記憶手段は、前記スキャノ像形成手段により形成された前記スキャノ像を前記記憶用画像として記憶し、
前記表示手段は、前記記憶された当該被検体の過去の前記スキャノ像を前記比較用画像として表示する、
ことを特徴とする請求項２に記載の医用画像診断装置。
【請求項８】
前記収集手段により収集された前記データに基づく投影像を形成する投影像形成手段を備え、
前記画像記憶手段は、前記形成された投影像を前記記憶用画像として記憶し、
前記表示手段は、前記記憶された当該被検体の過去の前記投影像を前記比較用画像として表示する、
ことを特徴とする請求項２に記載の医用画像診断装置。
【請求項９】
前記表示手段は、前記収集手段により収集された同一の前記データに基づく当該被検体の過去の前記再構成像及び前記スキャノ像の双方が前記記憶用画像として前記画像記憶手段に記憶されているときに、前記比較用画像として前記過去のスキャノ像を優先的に表示することを特徴とする請求項２に記載の医用画像診断装置。
【請求項１０】
前記収集手段により収集された前記データに基づく投影像を形成する投影像形成手段を備え、
前記表示手段は、当該被検体の過去の前記再構成像と、前記形成された当該被検体の過去の前記投影像との双方が前記記憶用画像として前記画像記憶手段に記憶されているときに、前記比較用画像として前記過去の投影像を優先的に表示する、
ことを特徴とする請求項２に記載の医用画像診断装置。
【請求項１１】
前記表示手段は、被検体の側面からの前記スキャノ像と前記側面からの前記比較用画像とを同時に表示するとともに、被検体の前面又は背面からの前記スキャノ像と前記前面又は背面からの前記比較用画像とを同時に表示し、
前記条件設定手段は、前記操作手段により、前記側面からの前記スキャノ像と前記比較用画像との表示位置が合わせられ、かつ、前記前面又は背面からの前記スキャノ像と前記比較用画像との表示位置が合わせられたときに、前記比較用画像の基となる前記データの収集時における過去の前記収集条件、及び／又は、当該データに基づく前記再構成画像の形成時における過去の前記再構成条件を、前記条件記憶手段から選択して設定する、
ことを特徴とする請求項２ないし請求項１０のいずれか一項に記載の医用画像診断装置。
【請求項１２】
前記収集手段は、被検体にＸ線を照射するＸ線管と、前記Ｘ線管に対向配置され、被検体を透過した前記Ｘ線を検出するＸ線検出器と、前記対向配置を保持しつつ前記Ｘ線管及び前記Ｘ線検出器を回転させる回転駆動手段と、前記回転に応じて前記検出される前記Ｘ線の線量を前記データとして収集するＸ線データ収集手段とを含み、
被検体を載置する天板と、前記天板を前記Ｘ線管と前記Ｘ線検出器との間にて移動させる天板駆動手段とを有する寝台を備え、
前記表示手段は、前記天板の所定の基準位置に対する被検体の位置の変位に応じた表示位置に前記スキャノ像と前記比較用画像とを表示する、
ことを特徴とする請求項２ないし請求項１１のいずれか一項に記載の医用画像診断装置。
【請求項１３】
前記条件設定手段により設定される前記収集条件は、前記スキャノ像を参照して設定される前記データの収集の開始位置及び／又は終了位置、前記Ｘ線管の管電圧及び／又は管電流、前記回転駆動手段による前記Ｘ線管と前記Ｘ線検出器との回転速度、及び、前記回転駆動手段及び／又は前記天板駆動手段に基づくスキャン態様、のうちの少なくともいずれかを含む、ことを特徴とする請求項１２に記載の医用画像診断装置。
【請求項１４】
前記対向配置を保持しつつ前記Ｘ線管及び前記Ｘ線検出器を傾斜させる傾斜駆動手段を更に備え、
前記条件設定手段により設定される前記収集条件は、前記傾斜駆動手段による前記Ｘ線管及び前記Ｘ線検出器の傾斜角度を含む、
ことを特徴とする請求項１２に記載の医用画像診断装置。
【請求項１５】
前記再構成手段は、前記再構成像として、前記Ｘ線データ収集手段により収集された前記データに基づく被検体のスライス像を形成し、
前記条件設定手段により設定される前記再構成条件は、前記形成されるスライス像のスライス厚を含む、
ことを特徴とする請求項１２に記載の医用画像診断装置。
【請求項１６】
前記表示手段は、前記条件設定手段により設定された前記スライス厚に基づく前記スライス像の位置を表すスライス位置画像を、前記スキャノ像に重ねて表示することを特徴とする請求項１５に記載の医用画像診断装置。
【請求項１７】
前記条件設定手段により設定される前記再構成条件は、前記再構成手段による前記再構成画像の形成に適用される再構成関数を含むことを特徴とする請求項１２に記載の医用画像診断装置。
【手続補正２】
【補正対象書類名】明細書
【補正対象項目名】００１２
【補正方法】変更
【補正の内容】
【００１２】
上記目的を達成するために、請求項１に記載の発明は、設定された収集条件に基づいて被検体の形態を反映するデータを収集する収集手段と、設定された再構成条件に基づいて前記収集された前記データに基づいて再構成像を形成する再構成手段とを有する医用画像診断装置であって、前記収集された前記データに基づき形成される記憶用画像を記憶する画像記憶手段と、前記収集条件及び／又は前記再構成条件を記憶する条件記憶手段と、
前記収集手段により収集される前記データに基づいて、収集条件を設定するための被検体のスキャノ像を形成するスキャノ像形成手段と、前記スキャノ像を表示する表示手段と、前記スキャノ像と当該被検体の過去の前記記憶用画像とに基づいて移動量を算出し、前記移動量に基づいて過去の収集条件を変更して、今回の収集条件を設定する条件設定手段と、を備えることを特徴とする。
また、請求項２に記載の発明は、事前に設定された収集条件に基づいて被検体の形態を反映するデータを収集する収集手段と、事前に設定された再構成条件に基づいて前記収集された前記データに基づく再構成像を形成する再構成手段とを有する医用画像診断装置であって、前記収集された前記データに基づき形成される記憶用画像を記憶する画像記憶手段と、前記収集条件及び／又は前記再構成条件を記憶する条件記憶手段と、収集条件及び／又は再構成条件を設定するときに前記収集手段により収集される前記データに基づいて被検体のスキャノ像を形成するスキャノ像形成手段と、前記形成された前記スキャノ像と前記記憶された当該被検体の過去の前記記憶用画像に基づく比較用画像とのそれぞれを、その基となる前記データの収集時における当該被検体の位置に応じた表示位置に、同時に表示する表示手段と、操作手段と、前記表示された前記スキャノ像と前記比較用画像とを相対的に移動させて互いの表示位置が前記操作手段によって合わせられたときに、前記比較用画像の基となる前記データの収集時における過去の収集条件、及び／又は、当該データに基づく前記再構成画像の形成時における過去の再構成条件を、前記条件記憶手段から選択して設定する条件設定手段と、を備えることを特徴とする。
【手続補正３】
【補正対象書類名】明細書
【補正対象項目名】００１３
【補正方法】変更
【補正の内容】
【００１３】
また、請求項３に記載の発明は、請求項２に記載の医用画像診断装置であって、前記画像記憶手段は、前記再構成手段により形成された前記再構成像を前記記憶用画像として記憶し、前記記憶された当該被検体の過去の前記再構成像に基づいて、前記スキャノ像と同じ方向からの合成画像を形成する画像合成手段を備え、前記表示手段は、前記形成された前記合成画像を前記比較用画像として表示する、ことを特徴とする。
【手続補正４】
【補正対象書類名】明細書
【補正対象項目名】００１４
【補正方法】変更
【補正の内容】
【００１４】
また、請求項４に記載の発明は、請求項３に記載の医用画像診断装置であって、前記スキャノ像形成手段により形成される前記スキャノ像は、被検体の側面画像、前面画像及び背面画像のうちの少なくともいずれかを含み、前記画像合成手段により形成される前記合成画像は、前記スキャノ像と同じ方向からの合成スキャノ像を含む、ことを特徴とする。
【手続補正５】
【補正対象書類名】明細書
【補正対象項目名】００１５
【補正方法】変更
【補正の内容】
【００１５】
また、請求項５に記載の発明は、請求項３に記載の医用画像診断装置であって、前記スキャノ像形成手段により形成される前記スキャノ像は、被検体の側面画像を含み、前記再構成像は、被検体のアキシャル像を含み、前記画像合成手段により形成される前記合成画像は、前記アキシャル像に対する断面変換により得られるサジタル像を含む、ことを特徴とする。
【手続補正６】
【補正対象書類名】明細書
【補正対象項目名】００１６
【補正方法】変更
【補正の内容】
【００１６】
また、請求項６に記載の発明は、請求項３に記載の医用画像診断装置であって、前記スキャノ像形成手段により形成される前記スキャノ像は、被検体の前面画像又は背面画像を含み、前記再構成像は、被検体のアキシャル像を含み、前記画像合成手段により形成される前記合成画像は、前記アキシャル像に対する断面変換により得られるコロナル像を含む、ことを特徴とする。
【手続補正７】
【補正対象書類名】明細書
【補正対象項目名】００１７
【補正方法】変更
【補正の内容】
【００１７】
また、請求項７に記載の発明は、請求項２に記載の医用画像診断装置であって、前記画像記憶手段は、前記スキャノ像形成手段により形成された前記スキャノ像を前記記憶用画像として記憶し、前記表示手段は、前記記憶された当該被検体の過去の前記スキャノ像を前記比較用画像として表示する、ことを特徴とする。
【手続補正８】
【補正対象書類名】明細書
【補正対象項目名】００１８
【補正方法】変更
【補正の内容】
【００１８】
また、請求項８に記載の発明は、請求項２に記載の医用画像診断装置であって、前記収集手段により収集された前記データに基づく投影像を形成する投影像形成手段を備え、前記画像記憶手段は、前記形成された投影像を前記記憶用画像として記憶し、前記表示手段は、前記記憶された当該被検体の過去の前記投影像を前記比較用画像として表示する、ことを特徴とする。
【手続補正９】
【補正対象書類名】明細書
【補正対象項目名】００１９
【補正方法】変更
【補正の内容】
【００１９】
また、請求項９に記載の発明は、請求項２に記載の医用画像診断装置であって、前記表示手段は、前記収集手段により収集された同一の前記データに基づく当該被検体の過去の前記再構成像及び前記スキャノ像の双方が前記記憶用画像として前記画像記憶手段に記憶されているときに、前記比較用画像として前記過去のスキャノ像を優先的に表示することを特徴とする。
【手続補正１０】
【補正対象書類名】明細書
【補正対象項目名】００２０
【補正方法】変更
【補正の内容】
【００２０】
また、請求項１０に記載の発明は、請求項２に記載の医用画像診断装置であって、前記収集手段により収集された前記データに基づく投影像を形成する投影像形成手段を備え、前記表示手段は、当該被検体の過去の前記再構成像と、前記形成された当該被検体の過去の前記投影像との双方が前記記憶用画像として前記画像記憶手段に記憶されているときに、前記比較用画像として前記過去の投影像を優先的に表示する、ことを特徴とする。
【手続補正１１】
【補正対象書類名】明細書
【補正対象項目名】００２１
【補正方法】変更
【補正の内容】
【００２１】
また、請求項１１に記載の発明は、請求項２ないし請求項１０のいずれか一項に記載の医用画像診断装置であって、前記表示手段は、被検体の側面からの前記スキャノ像と前記側面からの前記比較用画像とを同時に表示するとともに、被検体の前面又は背面からの前記スキャノ像と前記前面又は背面からの前記比較用画像とを同時に表示し、前記条件設定手段は、前記操作手段により、前記側面からの前記スキャノ像と前記比較用画像との表示位置が合わせられ、かつ、前記前面又は背面からの前記スキャノ像と前記比較用画像との表示位置が合わせられたときに、前記比較用画像の基となる前記データの収集時における過去の前記収集条件、及び／又は、当該データに基づく前記再構成画像の形成時における過去の前記再構成条件を、前記条件記憶手段から選択して設定する、ことを特徴とする。
【手続補正１２】
【補正対象書類名】明細書
【補正対象項目名】００２２
【補正方法】変更
【補正の内容】
【００２２】
また、請求項１２に記載の発明は、請求項２ないし請求項１１のいずれか一項に記載の医用画像診断装置であって、前記収集手段は、被検体にＸ線を照射するＸ線管と、前記Ｘ線管に対向配置され、被検体を透過した前記Ｘ線を検出するＸ線検出器と、前記対向配置を保持しつつ前記Ｘ線管及び前記Ｘ線検出器を回転させる回転駆動手段と、前記回転に応じて前記検出される前記Ｘ線の線量を前記データとして収集するＸ線データ収集手段とを含み、被検体を載置する天板と、前記天板を前記Ｘ線管と前記Ｘ線検出器との間にて移動させる天板駆動手段とを有する寝台を備え、前記表示手段は、前記天板の所定の基準位置に対する被検体の位置の変位に応じた表示位置に前記スキャノ像と前記比較用画像とを表示する、ことを特徴とする。
【手続補正１３】
【補正対象書類名】明細書
【補正対象項目名】００２３
【補正方法】変更
【補正の内容】
【００２３】
また、請求項１３に記載の発明は、請求項１２に記載の医用画像診断装置であって、前記条件設定手段により設定される前記収集条件は、前記スキャノ像を参照して設定される前記データの収集の開始位置及び／又は終了位置、前記Ｘ線管の管電圧及び／又は管電流、前記回転駆動手段による前記Ｘ線管と前記Ｘ線検出器との回転速度、及び、前記回転駆動手段及び／又は前記天板駆動手段に基づくスキャン態様、のうちの少なくともいずれかを含む、ことを特徴とする。
【手続補正１４】
【補正対象書類名】明細書
【補正対象項目名】００２４
【補正方法】変更
【補正の内容】
【００２４】
また、請求項１４に記載の発明は、請求項１２に記載の医用画像診断装置であって、前記対向配置を保持しつつ前記Ｘ線管及び前記Ｘ線検出器を傾斜させる傾斜駆動手段を更に備え、前記条件設定手段により設定される前記収集条件は、前記傾斜駆動手段による前記Ｘ線管及び前記Ｘ線検出器の傾斜角度を含む、ことを特徴とする。
【手続補正１５】
【補正対象書類名】明細書
【補正対象項目名】００２５
【補正方法】変更
【補正の内容】
【００２５】
また、請求項１５に記載の発明は、請求項１２に記載の医用画像診断装置であって、前記再構成手段は、前記再構成像として、前記Ｘ線データ収集手段により収集された前記データに基づく被検体のスライス像を形成し、前記条件設定手段により設定される前記再構成条件は、前記形成されるスライス像のスライス厚を含む、ことを特徴とする。
【手続補正１６】
【補正対象書類名】明細書
【補正対象項目名】００２６
【補正方法】変更
【補正の内容】
【００２６】
また、請求項１６に記載の発明は、請求項１５に記載の医用画像診断装置であって、前記表示手段は、前記条件設定手段により設定された前記スライス厚に基づく前記スライス像の位置を表すスライス位置画像を、前記スキャノ像に重ねて表示することを特徴とする。
【手続補正１７】
【補正対象書類名】明細書
【補正対象項目名】００２７
【補正方法】変更
【補正の内容】
【００２７】
また、請求項１７に記載の発明は、請求項１２に記載の医用画像診断装置であって、前記条件設定手段により設定される前記再構成条件は、前記再構成手段による前記再構成画像の形成に適用される再構成関数を含むことを特徴とする。